(57)【要約】【課題】複数の利用者の携帯端末のみにより使用できる画像形成装置を提供する。【解決手段】画像形成装置１００は、短距離無線通信部１１９、無線通信エリア内に存在する複数の携帯端末から識別情報を取得する取得部１２２、取得した複数の識別情報を表示する表示部１１２、表示部１１２により表示された識別情報のうち選択された識別情報により携帯端末を特定する操作入力部１１４、選択された携帯端末のみからデータを受信するデータ通信部１２５、印刷部１１５を備え、操作入力部１１４は操作者により受信したデータ毎に選択された携帯端末毎に、当該データを印刷するか否かを示す指定を受け付け、印刷部１１５は、指定された内容にて各データを印刷する。【選択図】図２
2019202441.tif 000002
【特許請求の範囲】
【請求項１】
無線通信手段を有し、携帯端末と通信を行うことのできる画像形成装置であって、
前記無線通信手段により、通信エリア内に存在する複数台の携帯端末から、それぞれの携帯端末を示す識別情報を取得する取得手段と、
取得した複数の識別情報を表示する表示手段と、
前記表示手段により表示された前記識別情報のうち、少なくとも一部の識別情報の選択を受け付け、選択された識別情報により携帯端末を特定する第１入力手段と、
前記第１入力手段により選択された携帯端末のみから、前記無線通信手段により、それぞれ、データを受信するデータ通信手段と、
操作者の操作により、受信したデータ毎に、前記選択された携帯端末毎に、当該データを印刷するか否かを示す指定を受け付ける第２入力手段と、
前記第２入力手段により指定された内容にてデータを印刷する印刷手段と
を備えることを特徴とする画像形成装置。
【請求項２】
前記印刷手段は、携帯端末毎に、前記第２入力手段により指定された前記データを集約して印刷する
ことを特徴とする請求項１に記載の画像形成装置。
【請求項３】
前記第２入力手段は、さらに、操作者の操作により、前記画像形成装置により提供される印刷機能を利用した場合における対価の決済方法の入力を受け付け、前記決済方法は、複数の前記携帯端末により印刷機能を利用した場合において、特定の一台の携帯端末に対して、対価を集約して請求するか、又は、前記複数の携帯端末の各々に対して、対価を請求するかを示し、
前記画像形成装置は、さらに、前記決済方法に従って、特定の一台の携帯端末に対して、対価を集約して請求するか、又は、前記複数の携帯端末の各々に対して、対価を請求するかを決定し、特定の一台の携帯端末について、集約した対価を示す対価情報を生成し、又は、前記複数の携帯装置の各々について、対価を示す対価情報を生成する対価情報生成手段を備え、
前記データ通信手段は、さらに、前記無線通信手段により、生成した対価情報を、特定の一台の携帯端末、又は、前記複数の携帯装置の各々に対して送信する
ことを特徴とする請求項１に記載の画像形成装置。
【請求項４】
前記表示手段は、さらに、前記印刷手段による各データの印刷中に、当該印刷中のデータに対応する識別情報を表示する
ことを特徴とする請求項１に記載の画像形成装置。
【請求項５】
複数の携帯端末と、無線通信手段を有し、携帯端末と通信を行うことのできる画像形成装置とから構成されるサービスシステムであって、
前記画像形成装置は、
前記無線通信手段により、通信エリア内に存在する複数台の携帯端末から、それぞれの携帯端末を示す識別情報を取得する取得手段と、
取得した複数の識別情報を表示する表示手段と、
前記表示手段により、表示された前記識別情報のうち、少なくとも一部の識別情報の選択を受け付け、選択された識別情報により携帯端末を特定する第１入力手段と、
前記第１入力手段により選択された携帯端末のみから、前記無線通信手段により、それぞれ、データを受信するデータ通信手段と、
操作者の操作により、受信したデータ毎に、前記選択された携帯端末毎に、当該データを印刷するか否かを示す指定を受け付ける第２入力手段と、
前記第２入力手段により指定された内容にてデータを印刷する印刷手段と
を備えることを特徴とするサービスシステム。
【請求項６】
無線通信手段を備え、携帯端末と通信を行うことのできる画像形成装置で用いられる制御方法であって、
前記無線通信手段により、通信エリア内に存在する複数台の携帯端末から、それぞれの携帯端末を示す識別情報を取得する取得ステップと、
取得した複数の識別情報を表示する表示ステップと、
表示ステップにおいて、表示された前記識別情報のうち、少なくとも一部の識別情報の選択を受け付け、選択された識別情報により携帯端末を特定する第１入力ステップと、
前記第１入力ステップにおいて選択された携帯端末のみから、前記無線通信手段により、それぞれ、データを受信するデータ通信ステップと、
操作者の操作により、受信したデータ毎に、前記選択された携帯端末毎に、当該データを印刷するか否かを示す指定を受け付ける第２入力ステップと、
前記第２入力ステップにより指定された内容にてデータを印刷する印刷ステップと
を含むことを特徴とする制御方法。
【請求項７】
無線通信手段を備え、携帯端末と通信を行うことのできる画像形成装置で用いられる制御用のコンピュータプログラムを記憶している記録媒体であって、
前記無線通信手段により、通信エリア内に存在する複数台の携帯端末から、それぞれの携帯端末を示す識別情報を取得する取得ステップと、
取得した複数の識別情報を表示する表示ステップと、
前記表示ステップにおいて、表示された前記識別情報のうち、少なくとも一部の識別情報の選択を受け付け、選択された識別情報により携帯端末を特定する第１入力ステップと、
前記第１入力ステップにおいて選択された携帯端末のみから、前記無線通信手段により、それぞれ、データを受信するデータ通信ステップと、
操作者の操作により、受信したデータ毎に、前記選択された携帯端末毎に、当該データを印刷するか否かを示す指定を受け付ける第２入力ステップと、
前記第２入力ステップにより指定された内容にてデータを印刷する印刷ステップと
を実行するコンピュータプログラムを記憶している記録媒体。
【請求項８】
無線通信手段を備え、携帯端末と通信を行うことのできる画像形成装置で用いられる制御用のコンピュータプログラムであって、
コンピュータである画像形成装置に対して、
前記無線通信手段により、通信エリア内に存在する複数台の携帯端末から、それぞれの携帯端末を示す識別情報を取得する取得ステップと、
取得した複数の識別情報を表示する表示ステップと、
前記表示ステップにおいて、表示された前記識別情報のうち、少なくとも一部の識別情報の選択を受け付け、選択された識別情報により携帯端末を特定する第１入力ステップと、
前記第１入力ステップにおいて選択された携帯端末のみから、前記無線通信手段により、それぞれ、データを受信するデータ通信ステップと、
操作者の操作により、受信したデータ毎に、選択された携帯端末毎に、当該データを印刷するか否かを示す指定を受け付ける第２入力ステップと、
前記第２入力ステップにより指定された内容にてデータを印刷する印刷ステップと
を実行させるためのコンピュータプログラム。
【発明の詳細な説明】
【技術分野】
【０００１】
本発明は、画像形成装置と複数台の携帯端末との間で、短距離無線により、データの送受信を行う技術に関し、特に、画像形成装置が、短距離無線により、複数台の携帯端末のみから、データを受信して印刷する技術に関する。
【背景技術】
【０００２】
コンビニエンスストア等の公共の場所に設置されているマルチコピー機（以下、画像形成装置）により、利用者に対して、利用者のスマートフォン（以下、携帯端末）に記憶されている写真や文書を印刷するプリントサービスや、紙面上の原稿画像を読み取って、携帯端末に取り込むスキャンサービス等が提供されるようになってきている。
【０００３】
画像形成装置と携帯端末との間においては、Ｗｉ−Ｆｉ等の短距離無線により、データが送受信される。
【０００４】
携帯端末に記憶されている写真をコンビニエンスストアに設置されている画像形成装置によりプリントする場合の操作手順は、例えば、おおよそ次の通りである。
【０００５】
携帯端末の操作画面で、写真をプリントする機能を選択し、プリントする写真を選択する。次に、画像形成装置の操作画面で、携帯端末から写真を受信してプリントする機能を選択すると、画像形成装置にＷｉ−Ｆｉの接続先と接続パスワードが表示される。次に、利用者は、画像形成装置に表示されたＷｉ−Ｆｉの接続先を、携帯端末において入力し、続いて、画像形成装置に表示された接続パスワードを、携帯端末において入力する。
【０００６】
以上の操作により、画像形成装置と携帯端末との間のＷｉ−Ｆｉによる接続が完了し、利用者により選択された写真が携帯端末から画像形成装置に送信され、画像形成装置において、写真がプリントされる。
【０００７】
しかし、上記のように、画像形成装置と携帯端末との間のＷｉ−Ｆｉ接続の設定操作においては、画像形成装置の操作画面に表示されたＷｉ−Ｆｉの接続先及び接続パスワードを携帯端末において入力しなければならず、Ｗｉ−Ｆｉ接続の設定操作は、利用者には、煩わしいという問題がある。
【０００８】
この問題を解決するため、特許文献１によると、画像形成装置は、携帯端末と無線により通信し、通信エリア内の通信可能な携帯端末を自動的に検出し、検出した携帯端末の端末名、ＭＡＣアドレス、メールアドレス等を、画像形成装置の表示部に、送信先選択画面として表示し、利用者は、表示された送信先選択画面から所望の携帯端末を選択し、選択した携帯端末に対して、情報を送信する。このように、画像形成装置と携帯端末と間の無線による接続設定の操作が簡素化されている。
【０００９】
また、特許文献２によると、複数の情報処理装置が接続された画像表示装置において、情報処理装置間でデータ転送を行うためのデータ転送操作時に、転送元と転送先との対応関係をユーザに直感的に認識させ、ユーザに簡単な操作でデータ転送を実行させることが開示されている。
【先行技術文献】
【特許文献】
【００１０】
【特許文献１】特開２０１５−３５７６７号公報
【特許文献２】特開２０１５−４３１２３号公報
【発明の概要】
【発明が解決しようとする課題】
【００１１】
上記の通り、特許文献１によると、画像形成装置と携帯端末と間の無線による接続設定の操作は、簡素化されているものの、画像形成装置の接続先は、情報の送信先の１台の携帯端末にすぎない。
【００１２】
これに対し、一定の関係を有する複数の利用者のそれぞれの携帯端末により、短距離無線を用いて、１台の画像形成装置により提供されるプリントサービスを受けたい、という要望がある。
【００１３】
例えば、コンビニエンスストアに設置された画像形成装置の周囲に、友人関係にある複数の利用者が集まって、それぞれの携帯端末のみを用いて、一つのまとまりのあるジョブとして、画像形成装置が提供するプリントサービスの提供を受ける。プリントサービスでは、それぞれの携帯端末から送信される写真データがプリントされる。
【００１４】
この場合において、友人関係にある複数の利用者の携帯端末に対して、友人関係にない第三者の携帯端末の加入が許されるなら、複数の利用者の携帯端末からの写真データを基にして、印刷されて画像形成装置の排出トレイに出力された印刷物を第三者が手に取る可能性があるという、不都合が発生する。
【００１５】
本発明は、一定の関係を有する複数の利用者のそれぞれの携帯端末により、短距離無線を用いて、１台の画像形成装置により提供されるプリントサービスを受けるという要望に対応しつつ、上記の不都合が発生することを可能な限り抑制することができる画像形成装置、サービスシステム、制御方法、記録媒体及びコンピュータプログラムを提供することを目的とする。
【課題を解決するための手段】
【００１６】
上記目的を達成するためは、本発明は、無線通信手段を有し、携帯端末と通信を行うことのできる画像形成装置であって、前記無線通信手段により、通信エリア内に存在する複数台の携帯端末から、それぞれの携帯端末を示す識別情報を取得する取得手段と、取得した複数の識別情報を表示する表示手段と、前記表示手段により表示された前記識別情報のうち、少なくとも一部の識別情報の選択を受け付け、選択された識別情報により携帯端末を特定する第１入力手段と、前記第１入力手段により選択された携帯端末のみから、前記無線通信手段により、それぞれ、データを受信するデータ通信手段と、操作者の操作により、受信したデータ毎に、前記選択された携帯端末毎に、当該データを印刷するか否かを示す指定を受け付ける第２入力手段と、前記第２入力手段により指定された内容にてデータを印刷する印刷手段とを備えることを特徴とする。
【００１７】
ここで、前記印刷手段は、携帯端末毎に、前記第２入力手段により指定された前記データを集約して印刷してもよい。
【００１８】
ここで、前記第２入力手段は、さらに、操作者の操作により、前記画像形成装置により提供される印刷機能を利用した場合における対価の決済方法の入力を受け付け、前記決済方法は、複数の前記携帯端末により印刷機能を利用した場合において、特定の一台の携帯端末に対して、対価を集約して請求するか、又は、前記複数の携帯端末の各々に対して、対価を請求するかを示し、前記画像形成装置は、さらに、前記決済方法に従って、特定の一台の携帯端末に対して、対価を集約して請求するか、又は、前記複数の携帯端末の各々に対して、対価を請求するかを決定し、特定の一台の携帯端末について、集約した対価を示す対価情報を生成し、又は、前記複数の携帯装置の各々について、対価を示す対価情報を生成する対価情報生成手段を備え、前記データ通信手段は、さらに、前記無線通信手段により、生成した対価情報を、特定の一台の携帯端末、又は、前記複数の携帯装置の各々に対して送信してもよい。
【００１９】
ここで、前記表示手段は、さらに、前記印刷手段による各データの印刷中に、当該印刷中のデータに対応する識別情報を表示してもよい。
【００２０】
また、本発明は、複数の携帯端末と、無線通信手段を有し、携帯端末と通信を行うことのできる画像形成装置とから構成されるサービスシステムであって、前記画像形成装置は、前記無線通信手段により、通信エリア内に存在する複数台の携帯端末から、それぞれの携帯端末を示す識別情報を取得する取得手段と、取得した複数の識別情報を表示する表示手段と、前記表示手段により、表示された前記識別情報のうち、少なくとも一部の識別情報の選択を受け付け、選択された識別情報により携帯端末を特定する第１入力手段と、前記第１入力手段により選択された携帯端末のみから、前記無線通信手段により、それぞれ、データを受信するデータ通信手段と、操作者の操作により、受信したデータ毎に、前記選択された携帯端末毎に、当該データを印刷するか否かを示す指定を受け付ける第２入力手段と、前記第２入力手段により指定された内容にてデータを印刷する印刷手段とを備えることを特徴とする。
【００２１】
また、本発明は、無線通信手段を備え、携帯端末と通信を行うことのできる画像形成装置で用いられる制御方法であって、前記無線通信手段により、通信エリア内に存在する複数台の携帯端末から、それぞれの携帯端末を示す識別情報を取得する取得ステップと、取得した複数の識別情報を表示する表示ステップと、前記表示ステップにおいて、表示された前記識別情報のうち、少なくとも一部の識別情報の選択を受け付け、選択された識別情報により携帯端末を特定する第１入力ステップと、前記第１入力ステップにおいて選択された携帯端末のみから、前記無線通信手段により、それぞれ、データを受信するデータ通信ステップと、操作者の操作により、受信したデータ毎に、前記選択された携帯端末毎に、当該データを印刷するか否かを示す指定を受け付ける第２入力ステップと、前記第２入力ステップにより指定された内容にてデータを印刷する印刷ステップとを含むことを特徴とする。
【００２２】
また、本発明は、無線通信手段を備え、携帯端末と通信を行うことのできる画像形成装置で用いられる制御用のコンピュータプログラムを記憶している記録媒体であって、前記無線通信手段により、通信エリア内に存在する複数台の携帯端末から、それぞれの携帯端末を示す識別情報を取得する取得ステップと、取得した複数の識別情報を表示する表示ステップと、前記表示ステップにおいて、表示された前記識別情報のうち、少なくとも一部の識別情報の選択を受け付け、選択された識別情報により携帯端末を特定する第１入力ステップと、前記第１入力ステップにおいて選択された携帯端末のみから、前記無線通信手段により、それぞれ、データを受信するデータ通信ステップと、操作者の操作により、受信したデータ毎に、前記選択された携帯端末毎に、当該データを印刷するか否かを示す指定を受け付ける第２入力ステップと、前記第２入力ステップにより指定された内容にてデータを印刷する印刷ステップとを実行するコンピュータプログラムを記憶している。
【００２３】
また、本発明は、無線通信手段を備え、携帯端末と通信を行うことのできる画像形成装置で用いられる制御用のコンピュータプログラムであって、コンピュータである画像形成装置に対して、前記無線通信手段により、通信エリア内に存在する複数台の携帯端末から、それぞれの携帯端末を示す識別情報を取得する取得ステップと、取得した複数の識別情報を表示する表示ステップと、前記表示ステップにおいて、表示された前記識別情報のうち、少なくとも一部の識別情報の選択を受け付け、選択された識別情報により携帯端末を特定する第１入力ステップと、前記第１入力ステップにおいて選択された携帯端末のみから、前記無線通信手段により、それぞれ、データを受信するデータ通信ステップと、操作者の操作により、受信したデータ毎に、前記選択された携帯端末毎に、当該データを印刷するか否かを示す指定を受け付ける第２入力ステップと、前記第２入力ステップにより指定された内容にてデータを印刷する印刷ステップとを実行させる。
【発明の効果】
【００２４】
本発明によれば、画像形成装置は、特定された携帯端末のみからデータを受信し、受信したデータ毎に、選択された携帯端末毎に、当該データを印刷するか否かを示す指定を受け付け、指定された内容にてデータを印刷する。この場合に、画像形成装置は、選択されない第三者の携帯端末からデータを受信することがなく、選択された携帯端末から受信したデータのみを基にして印刷されて画像形成装置の排出トレイに出力された印刷物に、第三者の携帯端末から受信したデータを基にして印刷された印刷物が混じることなく、複数の携帯端末に係る情報が、第三者の携帯端末の利用者に知られることを可能な限り抑制することができる。
【図面の簡単な説明】
【００２５】
【図１】サービスシステム１の概略構成を示す概略構成図である。
【図２】画像形成装置１００の機能構成を示す機能ブロック図である。
【図３】一例として、記憶部１１３に保持される集計リスト１５１のデータ構造を示す。
【図４】一例として、ジョブ生成部１２７により生成されるプリントジョブ１６１、１６６、１６７のデータ構造の一例を示す。
【図５】一例として、画像形成装置１００の表示部１１２により表示される画面３００を示す。画面３００には、携帯端末リスト３０１が含まれている。
【図６】一例として、表示部１１２により表示される画面３１０を示す。画面３１０において、画像形成装置１００の利用者が写真を選択する。
【図７】一例として、表示部１１２により表示される画面３２０を示す。画面３２０において、利用者が写真を選択する。
【図８】一例として、表示部１１２により表示される画面３４０を示す。画面３４０において、利用者により決済方法が選択される。
【図９】一例として、表示部１１２により表示される画面３５０を示す。画面３５０では、プリント料金に相当する現金を投入するよう各利用者に要請する。
【図１０】一例として、表示部１１２により表示される画面３６０を示す。画面３６０では、写真データがプリント中であることを各利用者に通知する。
【図１１】一例として、表示部１１２により表示される画面３７０を示す。画面３７０では、課金処理中であることを各利用者に通知する。
【図１２】携帯端末２００ａの機能構成を示す機能ブロック図である。
【図１３】（ａ）プロフィール情報２３１及び登録フラグ２３２の一例を示す。（ｂ）基本情報２４１の一例を示す。（ｃ）基本情報２４２の一例を示す。（ｄ）識別情報２４３の一例を示す。（ｅ）識別情報２４４の一例を示す。
【図１４】携帯端末２００ａの表示部２１２に表示される画面２５１を示す。画面２５１には、プリントサービスを受ける場合に、携帯端末２００ａの利用者によりタッチ操作される操作画像等が含まれている。
【図１５】表示部２１２に表示される画面２５２を示す。画面２５２には、プリントサービスにおける動作状況を示すメッセージ等が含まれている。
【図１６】携帯端末におけるプロフィール情報の設定の際の動作を示すフローチャートである。図１７へ続く。
【図１７】携帯端末側における無線通信伝送アプリの起動等、及び、画像形成装置１００における携帯端末リストの生成、表示、選択受付等の動作を示すフローチャートである。図１８へ続く。
【図１８】画像形成装置１００における選択リストの記憶、画像形成装置１００と携帯端末との間の通信の確立、携帯端末側における印刷指示等の動作を示すフローチャートである。図１９へ続く。
【図１９】画像形成装置１００における、利用者による写真の選択等の動作を示すフローチャートである。図２０へ続く。
【図２０】画像形成装置１００における課金処理等の動作を示すフローチャートである。図２１へ続く。
【図２１】現金による課金処理等の動作、及び、携帯端末側における写真データの送信、画像形成装置１００における写真データの印刷等の動作を示すフローチャートである。
【図２２】携帯端末での課金処理の場合の、画像形成装置１００における決済方法に応じた動作を示すフローチャートである。
【図２３】現金による課金処理の場合の、画像形成装置１００における決済方法に応じた動作を示すフローチャートである。
【発明を実施するための形態】
【００２６】
１  実施形態１
本発明に係る一つの実施形態１としてのサービスシステム１について、図面を参照しながら説明する。
【００２７】
１．１  サービスシステム１
図１は、サービスシステム１の概略構成を示す概略構成図である。
【００２８】
サービスシステム１は、携帯端末２００ａ、２００ｂ、・・・に記憶されている文書データ、写真データ等を画像形成装置１００により、紙媒体に印刷するプリントサービス、及び、画像形成装置１００により原稿から読み取った多階調の画像データを携帯端末２００ａ、２００ｂ、・・・に送信するスキャンサービス等を利用者に対して提供する。
【００２９】
このサービスシステム１は、例えば、コンビニエンスストア等の公共の場所に設置された画像形成装置１００と、画像形成装置１００を中心とする無線通信エリア３０内に存在する携帯端末２００ａ、２００ｂ、２００ｃ、２００ｄとが、短距離無線通信により、相互に通信可能に接続される構成となっている。この図に示すように、携帯端末２００ｅは、無線通信エリア３０の外に存在するので、短距離無線通信により、画像形成装置１００と接続されることはない。なお、短距離無線通信は、一例として、無線ＬＡＮの規格の一つであるＷｉ−ｆｉにより規定されたものである。
【００３０】
ここで、図１に示すグループ４０（グループ４０を選択グループと呼ぶ。）に含まれる携帯端末２００ａ及び２００ｂは、一例として、特定の複数の携帯端末であり、これらの特定の複数の携帯端末のみにより、短距離無線を用いて、画像形成装置１００を共同して使用する。携帯端末２００ａ及び２００ｂを有する複数の利用者の間には、複数の利用者が同じ組織に属している関係、友人関係、家族の関係等の一定の関係がある。
【００３１】
例えば、無線通信エリア３０内に存在する携帯端末２００ａ及び２００ｂは、それぞれ、内部に記憶している写真データを、短距離無線通信により、画像形成装置１００に送信し、画像形成装置１００は、写真データを受信し、受信した写真データを後述する印刷部１１５により印刷する。
【００３２】
また、画像形成装置１００は、後述する画像読取部１１６により、原稿面上の原稿画像を読み取って、多階調の画像データを生成し、生成した多階調の画像データを、短距離無線通信により、無線通信エリア３０内に存在する携帯端末２００ａ及び２００ｂに対して送信する。携帯端末２００ａ及び２００ｂは、それぞれ、多階調の画像データを受信し、受信した多階調の画像データを内部に記憶する。携帯端末２００ａ及び２００ｂは、それぞれの利用者の操作により、記憶している多階調の画像データを表示可能である。
【００３３】
このようにして、利用者は、外出先にあっても、コンビニエンスストアに立ち寄れば、携帯端末に記憶されているデータを紙媒体に印刷したり、紙媒体等から読み取った画像データを携帯端末に記憶させたりして、これらの紙媒体やデータを利用することができる。また、特定の複数の携帯端末のみにより、短距離無線を用いて、１台の画像形成装置１００を共同して使用する。このとき、選択グループ４０に含まれない携帯端末２００ｃ及び２００ｄは、携帯端末２００ａ及び２００ｂが利用するサービスに加わることはできない。
【００３４】
１．２  画像形成装置１００
図２は、画像形成装置１００の機能構成を示す機能ブロック図である。
【００３５】
画像形成装置１００は、例えば、複写機能、ファクシミリ機能及びプリンタ機能等を有する装置であり、この図に示すように、制御部１１１、表示部１１２、記憶部１１３、操作入力部１１４、印刷部１１５、画像読取部１１６、課金処理部１１７、データ通信部１１８、短距離無線通信部１１９、アンテナ１２０及びファクシミリ通信部１２１を備えている。
【００３６】
（１）記憶部１１３
記憶部１１３は、制御部１１１により実行される制御プログラムのワークエリアとして機能するＲＡＭ、及び各種の制御プログラム、アプリケーションプログラム、画像データ等が格納されているＨＤＤ等からなる。
【００３７】
記憶部１１３には、携帯端末リスト３０１、選択リスト１４７及び集計リスト１５１、プリントジョブ１６１、１６６、１６７等が記憶される。
【００３８】
（携帯端末リスト３０１）
携帯端末リスト３０１は、無線通信エリア３０内に存在する１台以上の携帯端末を示す識別情報を含んでいる。識別情報は、後述する基本情報を含み、さらに、後述するプロフィール情報を含む場合がある。基本情報には、携帯端末のＯＳ名、機種名、利用者名等が含まれる。携帯端末リスト３０１は、画像形成装置１００において、後述する無線通信伝送サービスが開始され、無線通信エリア３０内に存在する携帯端末のサーチが行われた際に、生成される。
【００３９】
（選択リスト１４７）
選択リスト１４７は、携帯端末リスト３０１内の１以上の識別情報のうちから、利用者により選択された識別情報を含んでいる。画像形成装置１００は、選択リスト１４７に含まれる識別情報により示される携帯端末との間で、短距離無線通信により通信を行う。画像形成装置１００は、選択リスト１４７に含まれない識別情報により示される携帯端末との間で、短距離無線通信により通信を行わない。画像形成装置１００は、選択リスト１４７に含まれない識別情報により示される携帯端末からのアクセスを排除する。
【００４０】
（集計リスト１５１）
集計リスト１５１は、後述する画面３２０（図７）において、利用者から、写真毎、及び、携帯端末毎に、印刷すべき写真の指定を受け付けた場合に、受け付けた指定に応じて生成される集計リストである。
【００４１】
集計リスト１５１は、一例として、図３にデータ構造を示すように、１個又は複数個の集計情報から構成されている。各集計情報は、識別番号及び複数の印刷枚数から構成されている。複数の印刷枚数は、それぞれ、複数の写真ＩＤに対応している。
【００４２】
１個又は複数個の集計情報は、それぞれ、選択リスト１４７に含まれる１個又は複数個の識別情報に対応している。識別番号は、携帯端末を一意に識別する番号である。写真ＩＤは、画面３２０に表示される写真を識別する識別情報である。印刷枚数は、画面３２０において指定された枚数である。
【００４３】
このように、集計リスト１５１においては、携帯端末を識別する識別番号及び写真を識別する写真ＩＤ毎に、印刷枚数が記録されている。
【００４４】
具体的には、集計リスト１５１においては、識別番号１５４により識別される携帯端末について、写真ＩＤ１５２、１５３、・・・によりそれぞれ識別される写真のプリント枚数１５６、１５７、・・・が記録されている。また、識別番号１５５、・・・により識別される携帯端末についても、同様に、複数の写真ＩＤによりそれぞれ識別される複数の写真のプリント枚数が記録されている。
【００４５】
なお、画面３２０においては、利用者から、写真毎、及び、携帯端末毎に、印刷すべき写真の指定（印刷するか否かの指定）を受け付けるので、識別番号毎及び写真ＩＤ毎に集計リスト１５１において記録されている印刷枚数は、「０」又は「１」である。ここで、画面３２０において、利用者から、写真毎、及び、携帯端末毎に、印刷すべき写真の枚数の指定を受け付けるようにすれば、識別番号毎及び写真ＩＤ毎に、集計リスト１５１において記録されている印刷枚数は、「０」以上の数値となる。
【００４６】
（プリントジョブ１６１、１６６、１６７）
プリントジョブは、画面３２０において、利用者の操作により、携帯端末毎に、及び、写真毎に、印刷すべき写真の指定を受け付け、その指定が確定した場合に、受け付けた指定に応じて、携帯端末毎に生成されるプリントジョブである。
【００４７】
各プリントジョブは、携帯端末を識別する識別番号を含み、さらに、写真を識別する写真ＩＤを１個又は複数個、含んでいる。
【００４８】
プリントジョブ１６１は、一例として、図４にそのデータ構造を示すように、識別番号１６２、写真ＩＤ１６３、１６４、１６５から構成されている。つまり、プリントジョブ１６１は、識別番号１６２により識別される携帯端末について、写真ＩＤ１６３、１６４、１６５により識別される写真が利用者の操作により指定され、写真ＩＤ１６３、１６４、１６５により識別される写真を印刷することを示す。
【００４９】
プリントジョブ１６６及び１６７についても、プリントジョブ１６１と同様に、一例として、図４にそのデータ構造を示すように、当該プリントジョブ内に含まれる識別番号により識別される携帯端末について、当該プリントジョブ内に含まれる写真ＩＤにより識別される写真が利用者の操作により指定され、当該写真ＩＤにより識別される写真を印刷することを示す。
【００５０】
（２）制御部１１１
制御部１１１は、記憶部１１３から必要なプログラム等を読み出して実行し、画像形成装置１００全体を制御する。制御部１１１は、取得部１２２、通信確立部１２３、番号付与部１２４、データ通信部１２５、対価情報生成部１２６、ジョブ生成部１２７及び画面生成部１２８等から構成されている。
【００５１】
（ａ）取得部１２２
取得部１２２は、無線通信エリア３０内に存在する１台又は複数台の携帯端末から、短距離無線通信により、それぞれの携帯端末を示す識別情報を取得する。識別情報にプロフィール情報が含まれる場合には、取得部１２２は、プロフィール情報を含む識別情報を取得する。
【００５２】
（ｂ）通信確立部１２３
通信確立部１２３は、画像形成装置１００と、選択リスト１４７に含まれている識別情報により示される１台又は複数台の携帯端末との間のみで、短距離無線通信部１１９により、短距離無線通信による通信を確立する。
【００５３】
（ｃ）番号付与部１２４
番号付与部１２４は、取得した識別情報により示される携帯端末に付与する識別番号を生成する。識別番号は、当該携帯端末を一意に識別する。識別番号は、図４に示すプリントジョブ１６１、１６６、１６７に含まれる。また、識別番号は、画面３２０において、表示される。
【００５４】
（ｄ）データ通信部１２５
データ通信部１２５は、画像形成装置１００と、前記選択グループを構成する複数の携帯端末のみとの間で、データの送受信を行う。例えば、データ通信部１２５は、短距離無線通信部１１９により、各携帯端末から、写真データ、文書データ等を受信し、短距離無線通信部１１９により、各携帯端末に対して、多階調の画像データを送信する。また、データ通信部１２５は、後述する対価情報を、特定の一台の携帯端末、又は、複数の携帯端末に対して、それぞれ、送信する。
【００５５】
（ｅ）対価情報生成部１２６
対価情報生成部１２６は、プリントサービスやスキャンサービスの提供の対価を示す対価情報を生成する。なお、携帯端末が１台の場合には、当該携帯端末に対する対価情報を生成し、携帯端末が複数台の場合には、複数の携帯端末に対する対価をそれぞれの携帯端末に振り分けて、それぞれの携帯端末に対する対価情報を生成する。
【００５６】
また、対価情報生成部１２６は、後述する決済方法（特定の一台の携帯端末に対して、対価を集約して請求するか、又は、複数の携帯端末の各々に対して、対価を請求するか）に従って、特定の一台の携帯端末に対して、対価を集約して請求するか、又は、前記複数の携帯端末の各々に対して、対価を請求するかを決定する。対価を集約して請求する場合、特定の一台の携帯端末について、集約した対価を示す対価情報を生成する。一方、複数の携帯端末の各々に対して、対価を請求する場合、複数の携帯装置の各々について、対価を示す対価情報を生成する。
【００５７】
（ｆ）ジョブ生成部１２７
ジョブ生成部１２７は、記憶部１１３に記憶されている集計リスト１５１に基づいて、以下に示すようにして、携帯端末毎に、プリントジョブを生成する。
【００５８】
ジョブ生成部１２７は、集計リスト１５１に含まれる全ての集計情報について、以下の手順（ア）〜（エ）を繰り返す。
【００５９】
（ア）ジョブ生成部１２７は、記憶部１１３に記憶されている集計リスト１５１から、順に、１個の集計情報を読み出す。
【００６０】
（イ）ジョブ生成部１２７は、読み出した集計情報から、識別番号を抽出する。
【００６１】
（ウ）ジョブ生成部１２７は、読み出した集計情報を用いて、印刷枚数「１」に対応する全ての写真ＩＤを抽出する。
【００６２】
（エ）手順（イ）において抽出した識別番号、及び、手順（ウ）において抽出した全ての写真ＩＤの識別番号を含むプリントジョブを生成し、生成したプリントジョブを記憶部１１３に書き込む。
【００６３】
このようにして生成されたプリントジョブは、印刷部１１５において、実行される。
【００６４】
（ｇ）画面生成部１２８
画面生成部１２８は、表示部１１２において表示される画面３００（図５）、画面３１０（図６）、画面３２０（図７）、画面３４０（図８）、画面３５０（図９）、画面３６０（図１０）及び画面３７０（図１１）等を生成する。
【００６５】
（画面３００）
画面生成部１２８は、一例として、図５に示す画面３００を生成する。画面３００は、利用者の操作により、１又は複数の携帯端末を選択するために用いられる。
【００６６】
画面３００には、各種のメッセージ、利用者によりタッチ操作される操作画像３０４（ＯＫアイコン）等とともに、携帯端末リスト３０１が含まれている。携帯端末リスト３０１は、複数の識別情報３０２、３０３、・・・を含んでいる。携帯端末リスト３０１に含まれる各識別情報は、画像形成装置１００を中心とする無線通信エリア３０内に存在することが確認された携帯端末を示す情報である。識別情報には、例えば、当該携帯端末で用いられているオペレーションシステムの版数、当該携帯端末の機種番号、利用者の名称、利用者のプロフィール情報等が含まれている。利用者は、携帯端末リスト３０１に表示されている識別情報により、自身の携帯端末を他の携帯端末と区別することができる。
【００６７】
利用者の操作により、画面３００に表示された複数の識別情報３０２、３０３、・・・の中から、１又は複数の識別情報が選択される。１又は複数の識別情報が選択された後、操作画像３０４がタッチ操作されると、利用者による識別情報の選択が確定される。
【００６８】
ここで、利用者により選択された１又は複数の識別情報は、一つの選択リストを構成する。
【００６９】
（画面３１０）
画面生成部１２８は、一例として、図６に示す画面３１０を生成する。画面３１０は、選択リスト１４７に含まれる識別情報が１個の場合に、つまり、画像形成装置１００との間で通信が確立された携帯端末が１台の場合に、利用者の操作により、写真を選択するために用いられる。
【００７０】
画面３１０には、各種のメッセージ、複数の写真３１１、３１３、・・・、複数の写真３１１、３１３、・・・に対応するチェックボックス３１２、３１４、・・・合計表示欄３１５、利用者によりタッチ操作される操作画像３１６（確定アイコン）等が含まれている。合計表示欄３１５には、選択した写真枚数及び合計のプリント料金が含まれている。
【００７１】
利用者の操作により、画面３１０に表示された複数のチェックボックス３１２、３１４、・・・の中から、１又は複数のチェックボックスがチェック操作される。この操作により、写真が選択される。チェック操作がされた後、操作画像３１６がタッチ操作されると、利用者による写真の選択が確定される。
【００７２】
（画面３２０）
画面生成部１２８は、一例として、図７に示す画面３２０を生成する。画面３２０は、選択リスト１４７に含まれる識別情報が複数の場合に、つまり、画像形成装置１００との間で通信が確立された携帯端末が複数台の場合に、利用者の操作により、写真を選択するために用いられる。
【００７３】
画面３２０には、各種のメッセージ、携帯端末リスト３２１、写真リスト３３７、合計表示欄３３０、利用者によりタッチ操作される操作画像３３８（確定アイコン）等が含まれている。
【００７４】
携帯端末リスト３２１には、識別番号と識別情報との組が、複数個、含まれる。携帯端末リスト３２１に含まれる複数の識別情報は、選択リスト１４７に含まれる複数の識別情報と同一である。各識別番号は、対応する識別情報を一意に識別する番号である。
【００７５】
具体的には、図７に示すように、携帯端末リスト３２１には、識別番号３２２ａ及び識別情報３２２ｂの組、識別番号３２３ａ及び識別情報３２３ｂの組、・・・が含まれる。識別番号３２２ａは、対応する識別情報３２２ｂを識別し、識別番号３２３ａは、対応する識別情報３２３ｂを識別する。以下、同様である。
【００７６】
利用者は、携帯端末リスト３２１により、識別情報に対応する識別番号を知ることができる。
【００７７】
写真リスト３３７には、写真とチェック欄とからなる組が、複数個、含まれる。各組のチェック欄においては、複数の識別番号と、複数の識別番号の数と同数の複数のチェックボックスとが対応付けられている。
【００７８】
例えば、写真３２４に対応するチェック欄３２５には、チェックボックス３２６ａ、３２７ａ、３２８ａ、３２９ａが含まれ、チェックボックス３２６ａ、３２７ａ、３２８ａ及び３２９ａに隣接して、識別番号３２６ｂ、３２７ｂ、３２８ｂ及び３２９ｂが含まれている。ここで、チェック欄３２５に含まれている識別番号３２６ｂ、３２７ｂ、３２８ｂ及び３２９ｂは、携帯端末リスト３２１に含まれている複数の識別番号に対応している。
【００７９】
利用者は、携帯端末リスト３２１内の識別情報を見て、自身の携帯端末に割り当てられた識別番号を知る。次に、利用者は、チェック欄３２５のうち、自身の携帯端末に割り当てられた識別番号に対応するチェックボックスに対して、チェック操作をする。このようにして、利用者は、写真毎に、及び、携帯端末毎に（識別情報毎に）、写真を選択することができる。
【００８０】
合計表示欄３３０には、画面３２０の全体で選択された写真の合計の枚数及び合計のプリント料金、及び、識別情報毎に選択された枚数及び合計のプリント料金が選択的に表示される。つまり、合計表示欄３３０において、タブ３３１が操作された場合には、画面３２０の全体で選択された合計の枚数及び合計のプリント料金が表示される。一方、タブ３３２、３３３、３３４及び３３５が操作された場合には、それぞれ、識別情報毎に、選択された枚数及び合計のプリント料金が表示される。
【００８１】
利用者により操作画像３３８がタッチ操作されると、画面３２０における利用者による写真の選択が確定される。
【００８２】
なお、画面３２０において、同一の識別番号に関する表示内容に対して、同一色で表示してもよい。
【００８３】
例えば、携帯端末リスト３２１において、識別番号「１」及びこれに対応する識別情報を赤色で表示し、写真リスト３３７において、識別番号「１」及びこれに対応するチェックボックスを赤色で表示し、合計表示欄３３０において、識別番号「１」及びこれに対応する枚数及びプリント料金を赤色で表示する。
【００８４】
また、携帯端末リスト３２１において、識別番号「２」及びこれに対応する識別情報を青色で表示し、写真リスト３３７において、識別番号「２」及びこれに対応するチェックボックスを青色で表示し、合計表示欄３３０において、識別番号「２」及びこれに対応する枚数及びプリント料金を青色で表示する。
【００８５】
さらに、携帯端末リスト３２１において、識別番号「３」及びこれに対応する識別情報を緑色で表示し、写真リスト３３７において、識別番号「３」及びこれに対応するチェックボックスを緑色で表示し、合計表示欄３３０において、識別番号「３」及びこれに対応する枚数及びプリント料金を緑色で表示する。以下、同様である。
【００８６】
このようにして、利用者は、色により、識別番号に関する表示内容を区別することができる。この場合、携帯端末リスト３２１、写真リスト３３７及び合計表示欄３３０において、識別番号を表示しない、としてもよい。利用者は、識別番号に代えて、色により、表示内容を区別することができるからである。
【００８７】
また、画面３２０において、同一の識別番号に関する表示内容に対して、識別番号の代わりに、利用者の名称、略称等を表示してもよい。利用者の名称、略称等として、基本情報に含まれるものを使用してもよい。
【００８８】
（画面３４０）
画面生成部１２８は、一例として、図８に示す画面３４０を生成する。画面３４０は、決済方法の選択を利用者に求めるために用いられる。ここで、決済方法は、複数の携帯端末により画像形成装置１００が提供するサービスを使用した場合において、特定の一台の携帯端末に対して、対価を集約して請求するか、又は、複数の携帯端末の各々に対して、対価を請求するかを示す。つまり、対価を、一人の利用者が支払うか、複数人の利用者が支払うかを示す。
【００８９】
画面３４０には、一人で支払うことを選択するときに、利用者によりタッチ操作される操作画像３４１、及び、複数人で支払うことを選択するときに、利用者によりタッチ操作される操作画像３４２が含まれている。操作画像３４１に対して、タッチ操作された場合には、サービスの対価を、複数の携帯端末のうちの特定の一台により決済する。一方、操作画像３４２に対して、タッチ操作された場合には、複数の携帯端末のそれぞれにより決済する。
【００９０】
（画面３５０）
画面生成部１２８は、一例として、図９に示す画面３５０を生成する。画面３５０は、現金により対価を支払う場合に、料金の投入を促すメッセージ、対価を支払うべき利用者の携帯端末を識別する識別情報３５１、及び、料金、プリント枚数等の情報３５３を含んでいる。
【００９１】
（画面３６０）
画面生成部１２８は、一例として、図１０に示す画面３６０を生成する。
【００９２】
画面３６０は、プリントが実行されている時に、プリント中を示すメッセージ３６２、及び、プリント対象の写真を選択した利用者の携帯端末を識別する識別情報３６１を含んでいる。
【００９３】
（画面３７０）
画面生成部１２８は、一例として、図１１に示す画面３７０を生成する。
【００９４】
画面３７０は、課金処理が実行されている時に、課金処理中を示すメッセージ３７２、及び、課金対象である利用者の携帯端末を識別する識別情報３７１を含んでいる。
【００９５】
（３）画像読取部１１６及び印刷部１１５
画像読取部１１６は、原稿面上の原稿画像を読み取り、多階調の画像データを生成する。
【００９６】
印刷部１１５は、例えば、画像読取部１１６により生成された多階調の画像データ、又は、各携帯端末から受信した写真データや文書データを、電子写真方式により紙媒体等に印刷して記録する。この場合、印刷部１１５は、選択グループを構成する携帯端末毎に、写真データや文書データを集約して印刷してもよい。
【００９７】
（４）表示部１１２
表示部１１２は、例えば、液晶表示装置である。なお、表示部１１２は、ＥＬ表示装置等、如何なる種類のものであってもよく、また、画像形成装置１００と一体化された小型のものであっても、また、画像形成装置１００に接続された大型のものであってもよい。
【００９８】
表示部１１２は、画面３００、画面３１０、画面３２０、画面３４０、画面３５０、画面３６０及び画面３７０等を表示する。
【００９９】
（５）操作入力部１１４
操作入力部１１４は、複数の操作キー及び表示部１１２の画面に重ねられたタッチパネルを有し、画像形成装置１００の操作者による、操作キーやタッチパネルに対する操作に応じた入力指示を制御部１１１に出力する。
【０１００】
例えば、制御部１１１は、操作入力部１１４からの入力指示に応答して、印刷部１１５を制御して、携帯端末から受信した写真データを、印刷部１１５により紙媒体等に印刷させる。また、制御部１１１は、操作入力部１１４からの入力指示に応答して画像読取部１１６を制御して、画像読取部１１６により原稿面上の画像を読み取らせ、印刷部１１５を制御して、読み取った画像を印刷部１１５により紙媒体等に印刷させる。また、操作入力部１１４は、例えば、利用者の操作により、課金方法の入力を受け付ける。ここで、課金方法は、現金又は携帯端末での課金のいずれかである。
【０１０１】
また、操作入力部１１４は、画面３００に表示された携帯端末リスト３０１内の複数の識別情報３０２、３０３、・・・のうち、操作者のタッチ操作により、１又は複数の識別情報の選択を受け付け、選択された識別情報を含む選択リストを構成する。つまり、操作入力部１１４は、操作者の操作により、表示された識別情報のうち、少なくとも一部である複数の識別情報の選択を受け付け、選択された複数の識別情報により示される複数の携帯端末から構成される選択グループを特定する。
【０１０２】
また、操作入力部１１４は、画面３１０において、操作者のタッチ操作により、写真の選択を受け付ける。また、操作入力部１１４は、画面３２０において、操作者のタッチ操作により、受信した写真データ毎に、選択グループを構成する複数の携帯端末の利用者の各々について、当該写真データを印刷するか否かを示す指定を受け付ける。
【０１０３】
また、操作入力部１１４は、画面３４０において、利用者のタッチ操作により、画像形成装置１００が提供するプリントサービスやスキャンサービス等のサービスを使用した場合における対価の決済方法の入力を受け付ける。決済方法は、複数の携帯端末により画像形成装置１００が提供するサービスを使用した場合において、特定の一台の携帯端末に対して、対価を集約して請求するか、又は、複数の携帯端末の各々に対して、対価を請求するかを示す。
【０１０４】
（６）課金処理部１１７、データ通信部１１８、短距離無線通信部１１９及びファクシミリ通信部１２１
課金処理部１１７は、プリントサービスやスキャンサービス等の使用料の課金処理を実行する。
【０１０５】
データ通信部１１８は、ＬＡＮ等からなるネットワークを通じて、他のサーバ装置との間でデータ通信を行う。
【０１０６】
短距離無線通信部１１９は、短距離無線通信により、アンテナ１２０を介して、無線通信エリア３０内に存在する利用者の携帯端末との間で通信を行う。
【０１０７】
ファクシミリ通信部１２１は、公衆回線等を通じて、他のファクシミリ端末等との間でファクシミリ通信を行う。
【０１０８】
１．３  携帯端末２００ａ、２００ｂ、・・・、２００ｅ
ここでは、携帯端末２００ａ、２００ｂ、・・・、２００ｅを代表して、携帯端末２００ａについて説明する。なお、携帯端末２００ｂ、・・・、２００ｅは、携帯端末２００ａと同一の構成を有しているので、これらの携帯端末についての説明を省略する。また、携帯端末２００ｂ、・・・、２００ｅの構成要素に言及する場合には、携帯端末２００ａの構成要素と同じ符号を用いる。
【０１０９】
図１２は、携帯端末２００ａの機能構成を示す機能ブロック図である。
【０１１０】
携帯端末２００ａは、例えば、電話通話機能、電子メール送受信機能、ネットワーク接続機能、写真撮影機能、アプリケーションプログラム実行機能等を有する携帯型の移動通信装置である。携帯端末２００ａは、この図に示すように、制御部２１１、表示部２１２、記憶部２１３、操作入力部２１４、入出力部２１５、スピーカ２１６、課金処理部２１７、短距離無線通信部２１９、アンテナ２２０、無線通信部２２１、アンテナ２２２及びカメラ部２２３等を備えている。
【０１１１】
（１）記憶部２１３
記憶部２１３は、制御部２１１により実行される制御プログラムのワークエリアとして機能し、また、各種の制御プログラム、アプリケーションプログラム、画像データ等が格納されているＲＡＭ等からなる。
【０１１２】
また、記憶部２１３は、一例として、図１３（ｂ）又は（ｃ）に示す基本情報２４１又は２４２をあらかじめ記憶している。基本情報は、携帯端末を識別するために用いられる識別情報である。一例として、基本情報２４１は、機種名「ＳｍａｒｔＰｈｏｎｅＸ」及び利用者名「△△一郎」を含む。また、一例として、基本情報２４２は、ＯＳ名「ＯｐｅｒａｔｉｎｇＳｙｓｔｅｍ３．０」、機種名「ＡＢＣ１２３」及び利用者名「○○太郎」を含む。基本情報を構成する要素情報は、携帯端末の製造業者により異なる。
【０１１３】
利用者は、携帯端末２００ａに、利用者に関連する情報であるプロフィール情報を登録することができる。プロフィール情報は、識別情報の一部を構成する。プロフィール情報として登録する内容については、利用者が自由に設定をすることができる。記憶部２１３は、利用者の設定により、一例として、図１３（ａ）に示すプロフィール情報２３１を記憶する。プロフィール情報２３１は、一例として、利用者の住所の一部を含んでいる。また、プロフィール情報２３１は、利用者に関連する他の情報を含んでいるとしてもよい。例えば、プロフィール情報２３１は、利用者の年齢、性別、趣味等であるとしてもよい。また、利用者がプロフィール情報を設定した場合に、その旨を示す登録フラグ２３２「１」が記憶部２１３に記憶される。
【０１１４】
利用者によりプロフィール情報が設定された場合には、識別情報として、基本情報とプロフィール情報を結合した情報が用いられる。一例として、図１３（ｄ）又は（ｅ）に示す識別情報２４３又は２４４は、図１３（ｂ）又は（ｃ）に示す基本情報２４１又は２４２に、プロフィール情報を結合したものである。基本情報だけでなく、プロフィール情報が結合された識別情報によっても、携帯端末が識別される。
【０１１５】
また、記憶部２１３は、写真データ２６１、２６２、・・・を記憶している。ここで、写真データ２６１、２６２、・・・は、一例として、それぞれ、JPEG（Joint Photographic Experts Group）により規定されたデータ構造を有する圧縮された写真データである。なお、写真データ２６１、２６２、・・・は、その他の形式のデータ構造を有するとしてもよい。
【０１１６】
（２）制御部２１１
制御部２１１は、記憶部２１３から必要な制御プログラム等を読み出して実行し、携帯端末２００ａ全体を制御する。また、アプリケーションプログラムを読み出して実行する。また、制御部２１１は、無線通信部２２１、短距離無線通信部２１９、課金処理部２１７、入出力部２１５を制御する。また、制御部２１１は、記憶部２１３にアクセスして情報の読み書きを行う。
【０１１７】
（３）表示部２１２
表示部２１２は、例えば、液晶表示装置である。なお、表示部２１２は、ＥＬ表示装置等であってもよい。
【０１１８】
図１４は、一例として、表示部２１２に表示される画面２５１を示す。画面２５１には、プリントサービスを受ける場合に利用者によりタッチ操作される操作画像等が含まれている。操作画像の一つは、無線通信伝送アプリケーションプログラム（以下、無線通信伝送アプリ）を起動するために操作される。ここで、無線通信伝送アプリは、例えば、写真データや文書データを画像形成装置１００に対して送信するためのコンピュータプログラムである。画像形成装置１００に対して送信された写真データや文書データは、画像形成装置１００において、紙媒体等に印刷される。また、画面２５１には、携帯端末２００ａを識別する識別情報が表示される。
【０１１９】
また、図１５は、一例として、表示部２１２に表示される画面２５２を示す。画面２５２には、プリントサービスを受ける場合に、携帯端末２００ａから画像形成装置１００に対して、ファイルが送信中であることを示すメッセージが示されている。
【０１２０】
（４）操作入力部２１４
操作入力部２１４は、複数の操作キー及び表示部２１２の画面に重ねられたタッチパネルを有し、携帯端末２００ａの操作者による、操作キーやタッチパネルに対する操作に応じた入力指示を、入出力部２１５を介して、制御部２１１に出力する。例えば、制御部２１１は、操作入力部２１４からの入力指示に応答して、記憶部２１３に記憶されている写真データを読み出し、短距離無線通信部２１９及びアンテナ２２０を介して、読み出した写真データを、短距離無線通信により、画像形成装置１００に対して、送信する。
【０１２１】
（５）スピーカ２１６、カメラ部２２３及び入出力部２１５
スピーカ２１６は、他の携帯端末等との通話における音声を出力する。また、記憶部２１３に記憶されている音声データを制御部２１１の制御により再生して音声を出力する。
【０１２２】
カメラ部２２３は、制御部２１１の制御の元に、外部を撮影して静止画又は動画を生成する。
【０１２３】
入出力部２１５は、制御部２１１と、表示部２１２、操作入力部２１４、スピーカ２１６及びカメラ部２２３との間で、データの入出力を中継する。
【０１２４】
（６）課金処理部２１７
課金処理部２１７は、例えば、画像形成装置１００から送信された、対価の請求を示す請求情報に対して、支払いを承認するか否かを判断し、その判断結果を画像形成装置１００に対して送信させる。
【０１２５】
（７）短距離無線通信部２１９、アンテナ２２０、無線通信部２２１及びアンテナ２２２
短距離無線通信部２１９は、アンテナ２２０を介して、短距離無線通信により、携帯端末２００ａが存在する無線通信エリア３０内に存在する通信端末との間で通信を行う。無線通信エリア３０内に存在し、通信相手となる通信端末は、一例として、画像形成装置１００である。また、短距離無線通信部２１９は、携帯端末２００ａが他の無線通信エリア内に存在する場合には、当該他の無線通信エリア内に存在する通信端末との間で通信を行う。
【０１２６】
無線通信部２２１は、アンテナ２２２を介して、無線基地局との間で、無線による通信を行う。無線基地局は、携帯電話網の一端に接続され、携帯電話網の他端には、他の無線基地局が接続され、他の無線基地局は、他の通信端末との間で、無線による通信を行う。この結果、無線通信部２２１は、アンテナ２２２、無線基地局、携帯電話網、他の無線基地局を介して、他の通信端末等との間で、通信を行うことができる。
【０１２７】
１．４  実施例１
ここでは、実施例１として、携帯端末におけるプロフィール情報の設定における動作について、図１６に示すフローチャートを用いて、説明する。
【０１２８】
携帯端末２００ａの操作入力部２１４は、利用者から様々な操作を受け付ける（ステップＳ１０１）。受け付けた操作が、携帯端末２００ａにおけるプロフィール情報の設定を行う登録アプリケーションプログラム（以下、登録アプリと呼ぶ。）の起動である場合（ステップＳ１０２でＹＥＳ）、携帯端末２００ａにおいて登録アプリが実行され、操作入力部２１４は、利用者からプロフィール情報の入力を受け付ける（ステップＳ１０３）。次に、制御部２１１は、登録フラグを「１」に設定する（ステップＳ１０４）。次に、制御部２１１は、入力を受け付けたプロフィール情報及び登録フラグを記憶部２１３に書き込む（ステップＳ１０５）。次に、表示部２１２は、基本情報及びプロフィール情報からなる識別情報を表示する（ステップＳ１０６）。
【０１２９】
ここで、ステップＳ１０３からステップＳ１０６までの処理が、登録アプリにより実行される。
【０１３０】
以上により、利用者によるプロフィール情報の設定が完了する。
【０１３１】
受け付けた操作が、登録アプリの起動ではない場合（ステップＳ１０２でＮＯ）、受け付けた操作に対応するその他の処理が行われる（ステップＳ１０７）。
【０１３２】
なお、ここでは、携帯端末２００ａにおいて、プロフィール情報が設定されるとしているが、これには限定されない。その他の携帯端末２００ｂ〜２００ｅにおいて、プロフィール情報が設定されるとしてもよい。
【０１３３】
以上説明したように、携帯端末２００ａにおいて、利用者自身のプロフィール情報を設定できるので、利用者は、プロフィール情報により、自身の携帯端末であることを認識できる。
【０１３４】
１．５  実施例２
ここでは、実施例２として、画像形成装置１００における携帯端末リストの生成、表示、選択受付、画像形成装置１００と携帯端末との間の短距離無線による通信の確立及び画像形成装置１００が提供するプリントサービスおける動作について、以下に説明する。
【０１３５】
（１）画像形成装置１００における携帯端末リスト３０１の生成、表示、選択受付、画像形成装置１００と携帯端末との間の短距離無線による通信の確立
図１６に示す利用者によるプロフィール情報の設定の動作に引き続いて、ここでは、画像形成装置１００における携帯端末リスト３０１の生成、表示、選択受付、画像形成装置１００と携帯端末との間の短距離無線による通信の確立における動作について、図１７〜図１８に示すフローチャートを用いて、説明する。
【０１３６】
携帯端末２００ａの制御部１１１は、利用者の入力操作（図１４を参照）により、無線通信伝送アプリを起動する（ステップＳ１０８ａ）。次に、制御部１１１は、基本情報（機種名、利用者名）、プロフィール情報及び登録フラグを記憶部２１３から読み出し、表示部２１２は、基本情報とプロフィール情報とからなる識別情報を表示し（ステップＳ１０９ａ）、読み出した基本情報（機種名、利用者名）、プロフィール情報及び登録フラグを、短距離無線通信部１１９により、画像形成装置１００に対して送信する（ステップＳ１１０ａ）。
【０１３７】
また、携帯端末２００ｂの制御部１１１も、上記と同様にして、利用者の入力操作（図１４を参照）により、無線通信伝送アプリを起動する（ステップＳ１０８ｂ）。次に、制御部１１１は、基本情報（ＯＳ名、機種名及び利用者名）を記憶部２１３から読み出し、表示部２１２は、基本情報からなる識別情報を表示し（ステップＳ１０９ｂ）、読み出した基本情報（ＯＳ名、機種名及び利用者名）を、短距離無線通信部１１９により、画像形成装置１００に対して送信する（ステップＳ１１０ｂ）。
【０１３８】
さらに、携帯端末２００ｃの制御部１１１も、上記と同様にして、利用者の入力操作（図１４を参照）により、無線通信伝送アプリを起動する（ステップＳ１０８ｃ）。次に、制御部１１１は、基本情報（機種名及び利用者名）を記憶部２１３から読み出し、表示部２１２は、基本情報からなる識別情報を表示し（ステップＳ１０９ｃ）、読み出した基本情報（機種名及び利用者名）を、短距離無線通信部１１９により、画像形成装置１００に対して送信する（ステップＳ１１０ｃ）。
【０１３９】
なお、上記においては、無線通信伝送アプリを起動した場合に、基本情報からなる識別情報又は基本情報及びプロフィール情報からなる識別情報を表示しているが、これには限定されない。各携帯端末は、アプリを起動していない場合に、デフォルト値として、基本情報を表示してもよい。
【０１４０】
画像形成装置１００の操作入力部１１４は、利用者からサービスの入力を受け付ける（ステップＳ１２１）。ここで、入力を受け付けるサービスには、無線通信伝送のサービス、つまり、プリントサービスやスキャンサービスが含まれる。入力を受け付けたサービスが無線通信伝送のサービスではない場合（ステップＳ１２２でＮＯ）、制御部１１１は、入力を受け付けたサービスに対応するその他の処理を行う（ステップＳ１３３）。
【０１４１】
入力を受け付けたサービスが無線通信伝送のサービスである場合（ステップＳ１２２でＹＥＳ）、制御部１１１は、短距離無線通信部１１９により、携帯端末のサーチを開始する。つまり、制御部１１１は、短距離無線通信部１１９により、各携帯端末から基本情報等が送信されているか否かを探索する（ステップＳ１２３）。
【０１４２】
制御部１１１が携帯端末を検出しない場合、つまり、携帯端末から送信される基本情報等を検出しない場合（ステップＳ１２４で「無し」）、表示部２１２は、携帯端末を検出しなかった旨のメッセージを表示する（ステップＳ１２５）。次に、制御部１１１は、処理をステップＳ１２１に移して、処理を継続する。
【０１４３】
制御部１１１が携帯端末を検出した場合、つまり、携帯端末から送信される基本情報等を検出した場合（ステップＳ１２４で「有り」）、制御部１１１は、携帯端末毎に、基本情報（機種名、ＯＳ名、利用者名）、プロフィール情報を含む識別情報を生成する（ステップＳ１２６）。次に、制御部１１１は、登録フラグを送信した携帯端末について、その識別情報が優先的に先頭に配置されるように、携帯端末リスト３０１を生成する（ステップＳ１２７）。
【０１４４】
ここで、制御部１１１は、次に示すように、携帯端末リスト３０１内に識別情報を配置する。
【０１４５】
制御部１１１は、登録フラグとともに送信された識別情報を携帯端末リスト３０１の先頭に配置する。登録フラグとともに送信された識別情報を複数、検出した場合には、登録フラグとともに送信された複数の識別情報を、検出した順序に従って配置する。登録フラグとともに送信された識別情報の次に、登録フラグを伴うことなく送信された識別情報を配置する。登録フラグを伴うことなく送信された識別情報を複数、検出した場合には、登録フラグを伴うことなく送信された複数の識別情報を検出した順序に従って配置する。
【０１４６】
次に、表示部２１２は、制御部１１１により生成された携帯端末リスト３０１を表示する（図５を参照）（ステップＳ１２８）。次に、操作入力部２１４は、表示された携帯端末リスト３０１から、利用者により、１又は複数の識別情報の選択を受け付け、その後、利用者により操作画像３０４がタッチ操作されると、利用者による識別情報の選択が確定し、選択された識別情報を含む選択リストを構成する（ステップＳ１２９）。次に、制御部１１１は、選択が確定した識別情報を、選択リスト１４７として、記憶部２１３に書き込む（ステップＳ１３０）。この時点において、選択グループへの新たな携帯端末の加入は、停止される。ここで、ステップＳ１２２において、無線通信伝送サービスが開始されてから、ステップＳ１２９において、識別情報の選択が確定するまでの期間を、識別情報を選択することができる有効期間と呼ぶ。
【０１４７】
ここで、選択リスト１４７内の識別情報により示される携帯端末を、一例として、図１に示す選択グループ４０により示している。
【０１４８】
制御部１１１は、選択リスト１４７に含まれる識別情報により示される携帯端末との間のみで、無線による通信を確立する（ステップＳ１３１、ステップＳ１３２）。ここで、例えば、携帯端末２００ａ及び２００ｂを示す識別情報が選択リスト１４７に含まれ、例えば、携帯端末２００ｃを示す識別情報が選択リスト１４７に含まれない場合には、制御部１１１は、携帯端末２００ａ及び２００ｂとの間のみで無線による通信を確立する。一方で、制御部１１１は、携帯端末２００ｃとの間では、無線による通信を確立しない。
【０１４９】
このため、これ以降、制御部１１１は、識別情報が選択リスト１４７に含まれる携帯端末２００ａ及び２００ｂとの間で無線による通信が可能となるが、識別情報が選択リスト１４７に含まれない携帯端末２００ｃとの間では、無線による通信を行うことはできない。
【０１５０】
以上により、画像形成装置１００における携帯端末リスト３０１の生成、表示、選択受付、画像形成装置１００と携帯端末との間の短距離無線による通信の確立を完了する。
【０１５１】
以上説明したように、一定の関係を有する複数の利用者のそれぞれの携帯端末のみにより、短距離無線を用いて、１台の画像形成装置１００を共同して使用することができる。このとき、前記の複数の利用者以外の第三者には、画像形成装置１００の使用を拒否することができる。こうして、一定の関係を有する複数の利用者が有するデータを、第三者に知られないようにできる。
【０１５２】
また、画面３００の携帯端末リスト３０１に表示される識別情報に、利用者のプロフィール情報を含めることができるので、利用者は、自身のプロフィール情報を視認することにより、自身の携帯端末を示す識別情報の選択操作が容易となる。
【０１５３】
（２）画像形成装置１００によるプリントサービス
図１８に示す画像形成装置１００と携帯端末との間の短距離無線による通信の確立の動作に引き続いて、ここでは、画像形成装置１００によるプリントサービスにおける動作について、図１８〜図２１に示すフローチャートを用いて説明する。
【０１５４】
画像形成装置１００と、携帯端末２００ａ及び２００ｂとの間において、無線による通信が確立した後、携帯端末２００ａの操作入力部２１４は、利用者から、記憶部２１３に記憶している写真データのうち、一つ以上の写真データの指定を受け付ける（ステップＳ１４１）。ここで、利用者は、記憶部２１３に記憶されている全ての写真データを指定してもよいし、一部の写真データを指定してもよい。ここで指定された写真データの全てが印刷されるわけではなく、印刷すべき写真データは、後述するように、画像形成装置１００において、指定される。次に、制御部２１１は、指定を受け付けた写真データについて、印刷指示を生成し、生成した印刷指示、及び、指定を受け付けた写真データを縮小した縮小写真データを、短距離無線通信部１１９を介して、画像形成装置１００に対して送信する（ステップＳ１４２）。縮小写真データを送信するのは、データの送信時間の短縮化を図るためである。
【０１５５】
携帯端末２００ｂの操作入力部２１４も、同様に、利用者から、記憶部２１３に記憶している写真データのうち、一つ以上の写真データの指定を受け付ける（ステップＳ１４３）。次に、制御部２１１は、指定を受け付けた写真データについて、印刷指示を生成し、生成した印刷指示、及び、指定を受け付けた写真データを縮小した縮小写真データを、短距離無線通信部１１９を介して、画像形成装置１００に対して送信する（ステップＳ１４４）。
【０１５６】
制御部１１１は、短距離無線通信部１１９を介して、各携帯端末から、印刷指示及び縮小写真データを受信する（ステップＳ１４２、Ｓ１４４）。
【０１５７】
制御部１１１は、印刷指示を送信した携帯端末を示す識別情報が、選択リスト１４７に含まれているか否かを判断し（ステップＳ１４６）、選択リスト１４７に含まれていなければ（ステップＳ１４６で「無し」）、受信した印刷指示及び縮小写真データを棄却する（ステップＳ１４７）。
【０１５８】
印刷指示を送信した携帯端末を示す識別情報が、選択リスト１４７に含まれていれば（ステップＳ１４６で「有り」）、制御部１１１は、選択リスト１４７に含まれる識別情報の数により、携帯端末が複数台であるか１台であるかを判断する（ステップＳ１５１）。携帯端末が一台である場合（ステップＳ１５１で「１台」）、画面生成部１２８は、写真データ選択画面として、図６に示す画面３１０を生成し、表示部１１２は、生成された画面３１０を表示する（ステップＳ１５７）。操作入力部１１４は、画面３１０において写真の選択を受け付け、対価情報生成部１２６は、選択された写真に基づいて、対価を計算して、対価を示す対価情報を生成する（ステップＳ１５８）。選択の確定を示す操作画像３１６に対するタッチ操作がされるまで、選択の受付及び対価の計算が繰り返される。操作画像３１６に対するタッチ操作がされると（ステップＳ１５９）、次に、制御部１１１は、ステップＳ１５６の課金処理に制御を移す。
【０１５９】
携帯端末が複数台である場合（ステップＳ１５１で「複数台」）、画面生成部１２８は、写真データ選択画面として、図７に示す画面３２０を生成し、表示部１１２は、生成された画面３２０を表示する。画面３２０では、各写真につき、携帯端末毎にチェックボックスが付与されている（ステップＳ１５２）。操作入力部１１４は、画面３２０において、各写真につき、携帯端末毎に写真の選択を受け付け、対価情報生成部１２６は、携帯端末毎に選択された写真に基づいて、携帯端末毎に集約した対価を計算して、対価を示す対価情報を生成する（ステップＳ１５３）。選択の確定を示す操作画像３３８に対するタッチ操作がされるまで、選択の受付及び対価の計算が繰り返される。操作画像３３８に対するタッチ操作がされると（ステップＳ１５４）、次に、制御部１１１は、ステップＳ１５６の課金処理に制御を移す。
【０１６０】
操作入力部１１４は、利用者の操作により、課金方法の入力を受け付ける。ここで、課金方法は、現金又は携帯端末での課金のいずれかである。制御部１１１は、課金方法として、現金が指定されたか、携帯端末での課金が指定されたかを判断する（ステップＳ１５６）。
【０１６１】
課金方法が携帯端末での課金である場合（ステップＳ１５６で「携帯端末での課金」）、制御部１１１は、選択リスト１４７に含まれる識別情報の数により、携帯端末が複数台であるか１台であるかを判断する（ステップＳ１６１）。携帯端末が一台である場合（ステップＳ１６１で「１台」）、課金要求として、対価情報をその１台の携帯端末に対して送信する（ステップＳ１６２）。
【０１６２】
携帯端末が複数台である場合（ステップＳ１６１で「複数台」）、制御部１１１は、課金を複数の携帯端末に振り分け（ステップＳ１６３）、課金要求として、振り分けられた対価情報をそれぞれの携帯端末に対して送信する（ステップＳ１６４、Ｓ１６５）。
【０１６３】
課金処理中には、表示部１１２は、図１１に示す画面３７０により、課金処理中であることを表示する（ステップＳ１６６）。
【０１６４】
携帯端末２００ａの課金処理部２１７は、課金要求に対して、課金を承認する処理を行い、その旨を画像形成装置１００に対して通知する（ステップＳ１６７）。また、携帯端末２００ｂの課金処理部２１７も、同様にして、課金要求に対して、課金を承認する処理を行い、その旨を画像形成装置１００に対して通知する（ステップＳ１６８）。
【０１６５】
課金処理部１１７は、課金処理を行い（ステップＳ１６９）、課金処理が完了したことを示す通知を、携帯端末２００ａ又は携帯端末２００ａ及び２００ｂに対して送信する（ステップＳ１７０、Ｓ１７１）。
【０１６６】
これにより、携帯端末での課金処理が終了する。
【０１６７】
課金方法が現金である場合（ステップＳ１５６で「現金」）、表示部１１２は、図９に示す画面３５０を表示し、課金処理部１１７は、現金を受け付ける（ステップＳ２０１）。次に、課金処理部１１７は、課金処理が完了したことを示す通知を、携帯端末２００ａ及び２００ｂに対して送信する（ステップＳ２０２、Ｓ２０３）。
【０１６８】
これにより、現金での課金処理が終了する。
【０１６９】
携帯端末での課金処理又は現金での課金処理が終了すると、データ通信部１２５は、選択された写真を示す写真ＩＤ（１個又は複数個）を携帯端末２００ａ及び２００ｂに対して送信する（ステップＳ２０４）。
【０１７０】
写真ＩＤを受信すると（ステップＳ２０４）、携帯端末２００ａの制御部２１１は、記憶部２１３から、受信した写真ＩＤにより識別される写真データを読み出し（ステップＳ２０５）、読み出した写真データを画像形成装置１００に対して送信する（ステップＳ２０７）。
【０１７１】
また、携帯端末２００ｂの制御部２１１も、写真ＩＤを受信すると（ステップＳ２０４）、記憶部２１３から写真データを読み出し（ステップＳ２０６）、読み出した写真データを画像形成装置１００に対して送信する（ステップＳ２０８）。
【０１７２】
画像形成装置１００の制御部１１１は、携帯端末２００ａ及び２００ｂから、写真データを受信する（ステップＳ２０７、Ｓ２０８）。
【０１７３】
制御部１１１は、写真データを送信した携帯端末を示す識別情報が、選択リスト１４７に含まれているか否かを判断し（ステップＳ２０９）、選択リスト１４７に含まれていなければ（ステップＳ２０９で「無し」）、受信した写真データを棄却する（ステップＳ２１０）。写真データを送信した携帯端末を示す識別情報が、選択リスト１４７に含まれていれば（ステップＳ２０９で「有り」）、ジョブ生成部１２７は、携帯端末毎に、プリントジョブを生成する（ステップＳ２１１）。次に、ジョブ生成部１２７は、携帯端末の識別番号の順に、プリントジョブを並び換える（ステップＳ２１２）。
【０１７４】
次に、印刷部１１５は、携帯端末の識別番号の順に並び換えられた、プリントジョブに従って、写真データを印刷する（ステップＳ２１３）。印刷中に、表示部１１２は、図１０に示す画面３６０により、印刷中のプリントジョブに係る識別番号に対応する識別情報等を表示する（ステップＳ２１４）。ステップＳ２１３及びＳ２１４は、全てのプリントジョブの印刷が完了するまで、繰り返される。
【０１７５】
全てのプリントジョブの印刷が完了すると、プリントサービスが終了する。
【０１７６】
以上の通り、画像形成装置１００と携帯端末との間のデータの送受信により、プリントサービスの提供を受けることができる。
【０１７７】
また、画像形成装置１００は、短距離無線を用いて、選択を受け付けた識別情報により示される複数の携帯端末との間のみで、無線通信の確立を行う。この場合に、画像形成装置１００は、選択を受け付けなかった識別情報により示される第三者の携帯端末との間で、無線通信を確立しないので、無線通信を確立した複数の携帯端末に係る情報が、第三者の携帯端末の利用者に知られることを可能な限り抑制することができる。
【０１７８】
また、ジョブ生成部１２７は、携帯端末の識別番号の順に、プリントジョブを並び換え、印刷部１１５は、携帯端末の識別番号の順に並び換えられたプリントジョブに従って、写真データを印刷する。このため、印刷された複数枚の写真は、携帯端末の識別番号の順序に従って並んでおり、携帯端末の利用者毎に並び換える必要がなく、印刷された複数枚の写真をそれぞれの利用者に配布する際に、利用者毎に仕分けする手間を削減することができる。
【０１７９】
１．６  実施例３
実施例３では、複数の携帯端末により、画像形成装置１００が提供するサービスを利用する場合に、サービスの対価を、複数の携帯端末のうちの特定の一台により決済するか（つまり、特定の一人の利用者が対価を支払うか）、又は、複数の携帯端末のそれぞれにより決済するか（つまり、複数の利用者がそれぞれ対価を支払うか）を選択する。
【０１８０】
画像形成装置１００の表示部１１２には、一例として、図８に示すように、決済方法の選択を利用者に求める画面３４０が表示される。
【０１８１】
画面３４０には、上記の通り、一人で支払うことを選択するときに、利用者によりタッチ操作される操作画像３４１、及び、複数人で支払うことを選択するときに、利用者によりタッチ操作される操作画像３４２が含まれている。操作画像３４１に対して、タッチ操作された場合には、サービスの対価を、複数の携帯端末のうちの特定の一台により決済する。一方、操作画像３４２に対して、タッチ操作された場合には、複数の携帯端末のそれぞれにより決済する。
【０１８２】
なお、操作画像３４１に対して、タッチ操作された場合には、画像形成装置１００は、さらに、複数の携帯端末のうちのどの携帯端末により決済をするかの選択を、利用者に求める。利用者は、決済をする携帯端末を指定する。
【０１８３】
次に、図２０に示す携帯端末が複数台の場合の課金の振り分け及び課金要求の動作（ステップＳ１６１〜Ｓ１６５）に代えて、画像形成装置１００における決済方法に応じた動作について、図２２に示すフローチャートを用いて説明する。
【０１８４】
画像形成装置１００の制御部１１１は、選択リスト１４７に複数の識別情報が含まれているか否かにより、携帯端末の台数が複数であるか否かを判断する（ステップＳ２９１）。携帯端末が１台である場合には（ステップＳ２９１で「１台」）、課金処理部１１７は、その１台の携帯端末により、サービスの対価を決済する。
【０１８５】
携帯端末の台数が複数台である場合には（ステップＳ２９１で「複数台」）、制御部１１１は、利用者により選択された決済方法が特定の一台による決済か、複数の携帯端末のそれぞれによる決済かを判断する（ステップＳ２９２）。
【０１８６】
複数の携帯端末のそれぞれによる決済である場合（ステップＳ２９２で「個々」）、課金処理部１１７は、それぞれの携帯端末に対する課金要求を生成し、それぞれの携帯端末に対して、課金要求を送信する（ステップＳ２９３、Ｓ２９４、Ｓ２９５）。
【０１８７】
特定の一台による決済である場合（ステップＳ２９２で「集約」）、利用者により選択された特定の一台の携帯端末に対する課金要求を生成し、その特定の携帯端末に対して、課金要求を送信する（ステップＳ２９６）。
【０１８８】
課金要求を受信した各携帯端末により、課金要求が承認され、それぞれの課金処理が行われる。
【０１８９】
以上説明したように、携帯端末の台数が複数である場合、利用者により選択された決済方法が特定の一台による決済か、複数の携帯端末のそれぞれによる決済かに応じて、決済の方法を選択することができるので、より柔軟な決済方法を提供することができる。
【０１９０】
１．７  実施例４
実施例４では、画像形成装置１００が提供するサービスを利用し、そのサービスの対価を現金により支払う場合における動作について、特に、複数の利用者の複数の携帯端末に対して支払いを振り分ける場合における動作について、図２３に示すフローチャートを用いて説明する。以下に示す動作は、図２１に示す現金の受け付けの動作（ステップＳ２０１〜Ｓ２０３）に代わるものである。
【０１９１】
画像形成装置１００の制御部１１１は、選択リスト１４７に複数の識別情報が含まれているか否かにより、携帯端末の台数が複数であるか否かを判断する（ステップＳ３１１）。携帯端末が１台である場合には（ステップＳ３１１で「１台」）、表示部１１２は、図９に示す画面３５０と同様の画面により、料金等を表示し（ステップＳ３１２）、課金処理部１１７は、現金を受け付ける（ステップＳ３１３）。次に、課金処理部１１７は、課金処理が完了したことを示す通知を、携帯端末２００ａに対して送信する（ステップＳ３１４）。これで、現金の受け付け処理は、完了する。
【０１９２】
携帯端末が複数台である場合には（ステップＳ３１１で「複数台」）、課金処理部１１７は、課金を複数の携帯端末に振り分ける（ステップＳ３１５）。
【０１９３】
各携帯端末について、図９に示す画面３５０により、料金と当該携帯端末を識別する識別情報等を表示し（ステップＳ３１６）、課金処理部１１７は、現金を受け付ける（ステップＳ３１７）。次に、課金処理部１１７は、課金処理が完了したことを示す通知を、当該携帯端末に対して送信する（ステップＳ３１８又はステップＳ３１９）。これで、当該携帯端末に対する現金の受け付け処理が完了する。
【０１９４】
制御部１１１は、サービスを受ける全ての携帯端末について、ステップＳ３１６〜Ｓ３１９の処理が終了していない場合（ステップＳ３２０でＮｏ）、ステップＳ３１６に制御を移して、処理を繰り返す。
【０１９５】
サービスを受ける全ての携帯端末について、ステップＳ３１６〜Ｓ３１９で示す処理が終了すると（ステップＳ３２０でＹｅｓ）、全ての携帯端末に対する現金の受け付け処理が、完了する。
【０１９６】
以上のように、画像形成装置１００が提供するサービスを利用し、そのサービスの対価を現金により支払う場合、特に、複数の利用者の複数の携帯端末に対して支払いを振り分ける場合に、それぞれの携帯端末を示す識別番号とともに、当該携帯端末に対する対価が表示され、それぞれの携帯端末の利用者が現金を投入することができるので、複数の利用者のそれぞれがいくら支払えばよいか、明確であり、複数の利用者間で、料金の支払いについての混乱を避けることができる。
【０１９７】
２  その他の変形例
本発明は、上記の実施形態及び各実施例に限定されない。以下に示すようにしてもよい。
【０１９８】
（１）変形例１
選択リスト１４７に複数の識別情報が記録され、選択リスト１４７に含まれる識別情報により示される各携帯端末と、画像形成装置１００との間の通信が確立した後において、選択グループの有効期間は、次のようにして決定してもよい。
【０１９９】
（ａ）選択リスト１４７に含まれる識別情報により示される全ての携帯端末からのプリントサービス及びスキャンサービスが完了した後、つまり、プリントが完了し、及び、スキャンにより生成された多階調の画像データの送信が完了した時に、選択グループの有効期間は、終了する。
【０２００】
この場合には、プリントサービス及びスキャンサービスが完了した後、直ちに、次のプリントサービス及びスキャンサービスの提供を開始することができる。
【０２０１】
（ｂ）（ａ）のプリントサービス及びスキャンサービスが完了した後も、選択グループの有効期間は、継続し、画像形成装置１００の操作入力部１１４に対する利用者による選択グループの有効期間を終了させる操作により、選択グループの有効期間が終了する。
【０２０２】
この場合には、利用者は、利用者による選択グループの有効期間を終了させる操作がされるまでの間、継続して、プリントサービス及びスキャンサービスの提供を受けることができる。
【０２０３】
（２）変形例２
（選択グループへの追加及び削除）
上記において説明したように、図１８に示すステップＳ１３０において、選択された識別情報が選択リストとして記憶された後、選択グループへの新たな携帯端末の加入は、停止される。
【０２０４】
しかし、本発明は、これには限定されない。
【０２０５】
選択された識別情報が選択リストとして記憶された後であっても、選択グループへの新たな携帯端末の加入を許可してもよい。
【０２０６】
画像形成装置１００の表示部１１２により、再度、図５に示す画面３００が表示され、画面３００の携帯端末リスト３０１から、利用者により、新たに識別情報が選択されるとしてもよい。これにより、新たに、選択グループへの携帯端末の加入が行われる。
【０２０７】
また、選択された識別情報が選択リストとして記憶された後であっても、選択グループからの携帯端末の削除を許可してもよい。
【０２０８】
画像形成装置１００の表示部１１２により、再度、図５に示す画面３００が表示され、画面３００の携帯端末リスト３０１から、利用者により、既に選択した識別情報が削除されるとしてもよい。これにより、新たに、選択グループから、登録された携帯端末の削除が行われる。
【０２０９】
以上により、選択グループへの携帯端末の新たな加入及び選択グループからの削除が行えるので、自由度の高い運用を行うことができる。
【０２１０】
（３）変形例３
データ通信部１２５は、短距離無線通信部１１９により、各携帯端末に対して、番号付与部１２４により生成された識別番号を送信してもよい。この場合、各携帯端末は、識別番号を受信し、受信した識別番号を表示する。
【０２１１】
このように構成することにより、利用者は、携帯端末に表示された識別番号により、画面３２０に表示された識別番号が、自身の携帯端末を示すか否かを知ることができる。
【０２１２】
（４）変形例４
画像形成装置１００及び各携帯端末は、それぞれ、マイクロプロセッサとメモリとを備えたコンピュータシステムである。メモリは、制御用のコンピュータプログラムを記憶しており、マイクロプロセッサは、制御用のコンピュータプログラムに従って動作する。
【０２１３】
制御用のコンピュータプログラムは、コンピュータ読み取り可能な記録媒体、例えば、フレキシブルディスク、ハードディスク、光ディスク、半導体メモリなどに記録されているとしてもよい。
【０２１４】
また、制御用のコンピュータプログラムを、電気通信回線、インターネットを代表とするネットワーク等を経由して伝送するとしてもよい。
【０２１５】
（５）上記実施形態、各実施例及び上記変形例をそれぞれ組み合わせるとしてもよい。
【産業上の利用可能性】
【０２１６】
本発明にかかる画像形成装置は、選択グループに含まれない第三者の携帯端末からデータを受信することがなく、選択グループを構成する複数の携帯端末から受信したデータのみを基にして印刷されて画像形成装置の排出トレイに出力された印刷物に、第三者の携帯端末から受信したデータを基にして印刷された印刷物が混じることなく、複数の携帯端末に係る情報が、第三者の携帯端末の利用者に知られることを可能な限り抑制することができる。このため、本発明は、画像形成装置が、短距離無線により、複数台の携帯端末のみから、データを受信して印刷する技術として有用である。
【符号の説明】
【０２１７】
１    サービスシステム
３０    無線通信エリア
１００    画像形成装置
１１１    制御部
１１２    表示部
１１３    記憶部
１１４    操作入力部
１１５    印刷部
１１６    画像読取部
１１７    課金処理部
１１８    データ通信部
１１９    短距離無線通信部
１２０    アンテナ
１２１    ファクシミリ通信部
１２２    取得部
１２３    通信確立部
１２４    番号付与部
１２５    データ通信部
１２６    対価情報生成部
１２７    ジョブ生成部
１２８    画面生成部
２００ａ〜２００ｅ  携帯端末
２１１    制御部
２１２    表示部
２１３    記憶部
２１４    操作入力部
２１５    入出力部
２１６    スピーカ
２１７    課金処理部
２１９    短距離無線通信部
２２０    アンテナ
２２１    無線通信部
２２２    アンテナ
２２３    カメラ部
【図１】
2019202441.tif 000003
【図２】
2019202441.tif 000004
【図３】
2019202441.tif 000005
【図４】
2019202441.tif 000006
【図５】
2019202441.tif 000007
【図６】
2019202441.tif 000008
【図７】
2019202441.tif 000009
【図８】
2019202441.tif 000010
【図９】
2019202441.tif 000011
【図１０】
2019202441.tif 000012
【図１１】
2019202441.tif 000013
【図１２】
2019202441.tif 000014
【図１３】
2019202441.tif 000015
【図１４】
2019202441.tif 000016
【図１５】
2019202441.tif 000017
【図１６】
2019202441.tif 000018
【図１７】
2019202441.tif 000019
【図１８】
2019202441.tif 000020
【図１９】
2019202441.tif 000021
【図２０】
2019202441.tif 000022
【図２１】
2019202441.tif 000023
【図２２】
2019202441.tif 000024
【図２３】
2019202441.tif 000025